(57)【要約】      （修正有）【課題】サブバンドをベースにしたＯＦＤＭ復調のための技術を提供する。【解決手段】ＯＦＤＭシンボルのためのＮ入力サンプルのシーケンスに対して「部分」フーリエ変換が実行され、ＮcのグループのためのＮcの受信したシンボルを得る。部分フーリエ変換の場合、Ｎの入力サンプルはフェーザーで回転されＮの回転された入力サンプルを得る。これらの入力サンプルは累算されＮcの時間領域値を得る。ＮcポイントＦＦＴはＮc時間領域値に対して実行されＮcの受信したシンボルを得る。データサブバンドのためのチャネル利得推定値は、また、時間領域チャネル利得値を得るために逆ＦＦＴを実行し、データサブバンドのためのチャネル利得推定値を得るためにＦＦＴを実行することにより得られる。受信されたシンボルは、チャネル利得推定値を用いて、例えば、チャネル利得推定値により等化されることにより処理され、リカバーされたデータシンボルを得る。【選択図】図９
2010239639.tif 000002
【特許請求の範囲】
【請求項１】
Ｎの合計サブバンドの中でＮcのサブバンド（但し、Ｎ＞Ｎc>１）のためにフーリエ変換を実行する方法において、
Ｎの入力サンプルの第１のシーケンスをローテートし、Ｎのローテートされた入力サンプルの第２のシーケンスを得ることと、
前記Ｎのローテートされた入力サンプルの第２のシーケンスを累算し、Ｎcの時間領域値の第３のシーケンスを得ることであって、前記累算は、Ｌのローテートされた入力サンプルのＮｃのセットの各々に対して実行される（但しＮc・Ｌ＝Ｎである）ことと、
前記Ｎcの時間領域値の第３のシーケンスに対してＮcポイントの高速フーリエ変換（ＦＦＴ）を実行し、ＮcのサブバンドのためのＮcの周波数領域値を得ることとを備えた方法。
【請求項２】
前記Ｎの入力サンプルの各々は、前記入力サンプルを
【数７０】
2010239639.tif 000072
で乗算することによりローテートされ、但し、ｎは、前記第１のシーケンス内の前記入力サンプルのためのインデックスであり、ｍは前記Ｎcのサブバンドを含むサブバンドグループのためのインデックスである、請求項１の方法。
【請求項３】
前記Ｎcセットの各々は、異なるローテートされた入力サンプルから始めて、前記第２のシーケンス内のすべてのＮ番目のローテートされた入力サンプルを含む、請求項１の方法。
【請求項４】
前記Ｎの入力サンプルは１つの直交周波数分割多重（ＯＦＤＭ）シンボルのためのものであり、前記Ｎcの周波数領域値は、前記ＮcのサブバンドのためのＮcの受信されたシンボルのためのものである、請求項１の方法。
【請求項５】
前記Ｎcのサブバンドは、Ｎの合計サブバンドの中ですべてのＬ番目のサブバンドを含む、請求項１の方法。
【請求項６】
Ｎの合計サブバンドの中でＮcのサブバンド（但しＮ＞Ｎc>１）のためのフーリエ変換を実行するように動作可能な装置において、
Ｎの入力サンプルの第１のシーケンスをローテートし、Ｎのローテートされた入力サンプルの第２のシーケンスを得るように機能的に作用するローテーターと、
Ｎのローテートされた入力サンプルの前記第２のシーケンスを累算し、Ｎcの時間領域値の第３のシーケンスを得るように機能的に作用するアキュムレーターであって、前記累算は、Ｌのローテートされた入力サンプルのＮcのセットの（但し、Ｎc・Ｌ=Ｎ）各々に対して実行されるアキュムレーターと、
前記Ｎcの時間領域値の第３のシーケンスに対してＮcポイントの高速フーリエ変換を実行し、前記ＮcのサブバンドのためのＮcの周波数領域値を得るように機能的に作用する高速フーリエ変換（ＦＦＴ）ユニットと、
を備えた装置。
【請求項７】
Ｎの合計サブバンドの中でＮcのサブバンド（但し、Ｎ＞Ｎc>１）に対してフーリエ変換を実行するように動作可能な装置において、
Ｎの入力サンプルの第１のシーケンスをローテートし、Ｎのローテートされた入力サンプルの第２のシーケンスを得る手段と、
前記Ｎのローテートされた入力サンプルの第２のシーケンスを累算し、Ｎc時間領域値の第３のシーケンスを得る手段であって、前記累算は、Ｌのローテートされた入力サンプルのＮcのセットの各々に対して実行され、Ｎc・Ｌ＝Ｎである、手段と、
前記Ｎc時間領域値の第３のシーケンスに対してＮcポイントの高速フーリエ変換（ＦＦＴ）を実行し、前記ＮcサブバンドのためのＮc周波数領域値を得る手段と、
を備えた装置。
【請求項８】
通信システムにおいてチャネル推定を実行するための方法において、
入力サンプルのシーケンスに対してフーリエ変換を実行し、第１のグループのサブバンドのための受信されたパイロットシンボルを得ることと、
前記受信されたパイロットシンボルに基づいて、前記第１のグループのサブバンドのための第１のグループのチャネル利得推定値を得ることと、
前記第１のグループのチャネル利得推定値に対して逆高速フーリエ変換（ＩＦＦＴ）を実行し、時間領域チャネル利得値を得ることと、
前記時間領域チャネル利得値のシーケンスをローテートし、第２のグループのサブバンドのための第１のシーケンスのローテートされたチャネル利得値を得ることと、
前記第１のシーケンスのローテートされたチャネル利得値に対して高速フーリエ変換（ＦＦＴ）を実行し、前記第２のグループのためのサブバンドのための第２のグループのチャネル利得推定値を得ることと、
を備えた方法。
【請求項９】
前記フーリエ変換を実行することは、
前記入力サンプルのシーケンスをローテートし、ローテートされた入力サンプルのシーケンスを得ることと、
Ｌ（但しＬ＞１）のローテートされた入力サンプルのセットにおいて、前記ローテートされた入力サンプルのシーケンスを累算し、時間領域入力値のシーケンスを得ることと、
前記時間領域入力値のシーケンスに対して高速フーリエ変換を実行し、前記受信されたパイロットシンボルを得ることと、
を含む、請求項８の方法。
【請求項１０】
前記時間領域チャネル利得値のシーケンスをディローテートし、ディローテートされた時間領域チャネル利得値のシーケンスを得ることをさらに備え、前記ディローテートされた時間領域チャネル利得値のシーケンスはローテートされて、前記第２のグループのサブバンドのための前記第１のシーケンスのローテートされたチャネル利得値を得る、請求項８の方法。
【請求項１１】
前記時間領域チャネル利得値のシーケンスをローテートして第３のグループのサブバンドのためのローテートされたチャネル利得値の第２のシーケンスを得ることと、
前記ローテートされたチャネル利得値の第２のシーケンスに対して高速フーリエ変換を実行し、前記第３のグループのサブバンドのための第３のグループのチャネル利得値を得ることと、
をさらに備えた、請求項８の方法。
【請求項１２】
前記チャネル利得推定値の第１のグループは、前記受信したパイロット信号の各々を前記受信したパイロットシンボルに対応する共役したパイロットシンボルと乗算することにより得られる、請求項８の方法。
【請求項１３】
通信システムにおいてチャネル推定を実行するように動作可能な装置において、
入力サンプルのシーケンスに対してフーリエ変換を実行し、第１のグループのサブバンドのための受信されたパイロットシンボルを得るように機能的に作用するフーリエ変換ユニットと、
前記受信されたパイロットシンボルに基づいて前記第１のグループのサブバンドのために第１のグループのチャネル利得推定値を得るように機能的に作用するパイロット復調器と、
前記第１のチャネル利得推定値に対して逆高速フーリエ変換を実行し、時間領域チャネル利得値のシーケンスを得るように機能的に作用する逆高速フーリエ変換（ＩＦＦＴ）ユニットと、
前記時間領域チャネル利得のシーケンスをローテートし、第２のグループのサブバンドのためのローテートされたチャネル利得値の第１のシーケンスを得るように機能的に作用する第１のローテーターと、
前記ローテートされたチャネル利得値の第１のシーケンスに対して高速フーリエ変換を実行し、前記第２のグループのサブバンドのための第２のグループのチャネル利得推定値を得るように機能的に作用する第１の高速フーリエ変換（ＦＦＴ）ユニットと、
を備えた装置。
【請求項１４】
前記フーリエ変換ユニットは、
前記入力サンプルのシーケンスをローテートし、ローテートされた入力サンプルのシーケンスを得るように機能的に作用する第２のローテーターと、
Ｌのローテートされた入力サンプルのセットにおいて、前記ローテートされた入力サンプルのシーケンスを累算し、時間領域入力値のシーケンスを得る、但しＬ＞１であるように機能的に作用するアキュムレーターと、
前記時間領域入力値のシーケンスに対して高速フーリエ変換を実行し前記受信されたパイロットシンボルを得るように機能的に作用する第２の高速フーリエ変換ユニットと、
を含む、請求項１３の装置。
【請求項１５】
前記時間領域チャネル利得値のシーケンスをローテートし、第３のグループのサブバンドのためのローテートされたチャネル利得値の第２のシーケンスを得るように機能的に作用する第２のローテーターと、
前記ローテートされたチャネル利得値の第２のシーケンスに対して高速フーリエ変換を実行し、前記第３のグループのサブバンドのための第３のグループのチャネル利得推定値を得るように機能的に作用する第２の高速フーリエ変換ユニットと、
をさらに備えた、請求項１３の装置。
【請求項１６】
通信システムにおいて、チャネル推定を実行するように動作可能な装置において、
入力サンプルのシーケンスに対してフーリエ変換を実行し、第１のグループのサブバンドのための受信されたパイロットシンボルを得る手段と、
前記受信されたパイロットシンボルに基づいて前記第１のグループのためのサブバンドのための第１のグループのチャネル利得推定値を得る手段と、
前記第１のグループのチャネル利得推定値に対して逆高速フーリエ変換（ＩＦＦＴ）を実行し、時間領域チャネル利得値のシーケンスを得る手段と、
前記時間領域チャネル利得値のシーケンスをローテートし、第２のグループのサブバンドのためのローテートされたチャネル利得値の第１のシーケンスを得る手段と、
前記ローテートされたチャネル利得値の第１のシーケンスに対して高速フーリエ変換（ＦＦＴ）を実行し、前記第２のグループのサブバンドのための第２のグループのチャネル利得推定値を得る手段と、
を備えた装置。
【請求項１７】
直交周波数分割多重（ＯＦＤＭ）を利用した通信システムにおいて復調を実行する方法において、
ＯＦＤＭシンボルのためのＮの入力サンプルのシーケンスに対して部分フーリエ変換を実行し、第１のグループのＮcサブバンド、但し、Ｎ＞Ｎc>1のための第１のグループのＮcの受信したシンボル得ることであって、前記部分フーリエ変換はＮcポイントの高速フーリエ変換（ＦＦＴ）を利用し前記第１のグループのＮcの受信されたシンボルを得ることと、
前記第１のグループのサブバンドのための第１のグループのチャネル利得推定値を得ることと、
前記第１のチャネル利得推定値を用いて前記第１のグループの受信したシンボルを処理し、前記第１のグループのサブバンドのための第１のグループのリカバーされたデータシンボルを得ることと、
を備えた方法。
【請求項１８】
前記通信システムは、Ｎの合計サブバンドを含み、前記第１グループ内の前記Ｎcのサブバンドは、Ｎの合計サブバンドの中のすべてのＬ番目のサブバンド、但しＬ＞１を含む、請求項１７の方法。
【請求項１９】
前記第１のグループのチャネル利得推定値を得ることは、
前記Ｎの入力サンプルのシーケンスに基づいてパイロットサブバンドのグループのために時間領域チャネル利得値を得ることと、
前記時間領域チャネル利得値をローテートし、前記第１のグループのサブバンドのためのローテートされたチャネル利得値の第１のシーケンスを得ることと、
前記ローテートされたチャネル利得値の第１のシーケンスに対して高速フーリエ変換を実行し、前記第１のグループのサブバンドのための前記第１のグループのチャネル利得推定値を得ることと、
を含む、請求項１７の方法。
【請求項２０】
前記Ｎの入力サンプルのシーケンスに対して部分フーリエ変換を実行し、第２のグループのＮcのサブバンドのための第２のグループのＮcの受信したシンボルを得ることと、
前記時間領域チャネル利得値をローテートし、前記第２のグループのサブバンドのためのローテートされたチャネル利得値の第２のシーケンスを得ることと、
前記ローテートしたチャネル利得値の第２のシーケンスに対して高速フーリエ変換を実行し、前記第２のグループのサブバンドのための第２のグループのチャネル利得推定値を得ることと、
前記第２のグループのチャネル利得推定値を用いて前記第２のグループの受信されたシンボルを処理し、前記第２のグループのサブバンドのための第２のグループのリカバーされたデータシンボルを得ることと、
をさらに備えた、請求項１９の方法。
【請求項２１】
前記第１のグループのリカバーされたデータシンボルは、前記第１のグループのチャネル利得推定値により前記第１のグループの受信されたシンボルを除算することにより得られる、請求項１７の方法。
【請求項２２】
前記通信システムは直交周波数分割多重アクセス（ＯＦＤＭＡ）システムである、請求項１７の方法。
【請求項２３】
直交周波数分割多重（ＯＦＤＭ）を利用する通信システムにおける装置において、
ＯＦＤＭシンボルのためのＮの入力サンプルのシーケンスに対して部分フーリエ変換を実行し、第１のグループのサブバンドのための第１のグループのＮcの受信されたシンボルを得るように機能的に作用するフーリエ変換ユニットであって、Ｎ＞Ｎc＞１であり、前記フーリエ変換ユニットはＮcポイントの高速フーリエ変換（ＦＦＴ）を利用し、前記第１のグループのＮcの受信されたシンボルを得るフーリエ変換ユニットと、
前記第１のグループのサブバンドのための第１のグループのチャネル利得推定値を得るように機能的に作用するチャネル推定器と、
前記第１のチャネル利得推定値を用いて前記第１のグループの受信されたシンボルを処理し、前記第１のグループのサブバンドのための第１のグループのリカバーされたデータシンボルを得るように機能的に作用するイコライザーと、
を備えた装置。
【請求項２４】
前記フーリエ変換ユニットは、前記Ｎの入力サンプルのシーケンスに対して第２の部分フーリエ変換を実行し、第２のグループのＮcのサブバンドのための第２のグループのＮcの受信されたシンボルを得、前記チャネル推定器は前記第２のグループのサブバンドのための第２のグループのチャネル利得推定値を得るように機能的に作用し、前記イコライザーは前記第２のグループのチャネル利得推定値を用いて前記第２のグループの受信されたシンボルを処理し、前記第２のグループのサブバンドのための第２のグループのリカバーされたデータを得るように機能的に作用する、請求項２３の装置。
【請求項２５】
直交周波数分割多重（ＯＦＤＭ）を利用した通信システムにおいて復調を実行するように動作可能な装置において、
ＯＦＤＭシンボルのためのＮの入力サンプルのシーケンスに対して部分フーリエ変換を実行し、第１のグループのＮcサブバンドのための第１のグループのＮcの受信されたシンボルを得る手段であって、Ｎ＞Ｎc＞１であり、前記部分フーリエ変換はＮcポイントの高速フーリエ変換（ＦＦＴ）を利用して前記第１のグループのＮcの受信されたシンボルを得る手段と、
前記第１のグループのサブバンドのための第１のグループのチャネル利得推定値を得る手段と、
前記第１のグループのチャネル利得推定値を用いて前記第１のグループの受信されたシンボルを処理し、前記第１のグループのサブバンドのための第１のグループのリカバーされたデータシンボルを得る手段と、
を備えた装置。
【発明の詳細な説明】
【技術分野】
【０００１】
この発明は一般に通信に関し、特に直交周波数分割多重（ＯＦＤＭ）をベースにした通信システムにおいて復調を行うための技術に関する。
【背景技術】
【０００２】
ＯＦＤＭは全体のシステム帯域幅を多数の（Ｎ）の直交サブバンドに効率的に分割する変調技術である。各サブバンドはデータを用いて変調してもよいそれぞれのサブキャリアに関連する。また、サブバンドは、一般的にトーン、サブキャリア、ビン、および周波数チャネルとも呼ばれる。
【０００３】
ＯＦＤＭは種々の通信システムにおいて広範囲に使用される。例えば、直交周波数分割多重アクセス（ＯＦＤＭＡ）システムは、ＯＦＤＭを利用し、複数のユーザーをサポートすることができる。Ｎのサブバンドは、システム設計に応じて種々の方法でデータとパイロット送信のために使用されてもよい。例えば、ＯＦＤＭＡシステムは、Ｎのサブバンドを、サブバンドの複数の互いに素なグループに分割し、各サブバンドグループを異なるユーザーに割り当ててもよい。従って、複数のユーザーは、割り当てられたサブバンドグループを介して同時にサポートされることができる。
【０００４】
多くのインスタンスにおいては、ＯＦＤＭをベースにしたシステムにおいて、Ｎのサブバンドのサブセットを復調することしか必要としない。Ｎのサブバンドのサブセットを処理するための直接的な方法は、時間領域サンプルに対してＮポイントの高速フーリエ変換（ＦＦＴ）を実行し、すべてのＮのサブバンドのための周波数領域シンボルを得ることである。次に、関心のあるサブバンドのためのシンボルが抽出されて処理され、他のすべてのサブバンドのためのシンボルが破棄される。たとえＮのサブバンドの小さなサブセットのみがデータ送信のために使用されるとしても、この直接的な方法は、Ｎのサブバンドに比例したメモリストレージを必要とし、さらにすべてのＮのサブバンドのための計算を必要とする。
【０００５】
それゆえ、Ｎのサブバンドのサブセットのみがデータ送信のために使用されるときにＯＦＤＭをベースにしたシステムにおいてより効率的に復調を実行するための技術の必要性がある。
【発明の概要】
【０００６】
サブバンドをベースにしたＯＦＤＭ復調のための技術がここに記載される。これらの技術は、すべてのＮのサブバンドの代わりに関心のあるサブバンドのみのための処理を受信機が実行することを可能にする。
【０００７】
１つの観点において、Ｎの合計サブバンドの中でＮcのサブバンドのための「部分」フーリエ変換を実行するための技術、但しＮ＞Ｎc＞１が記載される。Ｎcのサブバンドは、Ｎの合計サブバンドの中ですべてのＬ番目のサブバンドを含む。但し、Ｎc・Ｌ＝Ｎである。サブバンドｍ、ｍ＋Ｌなどを構成するＮcのサブバンドのための部分フーリエ変換を計算するために、Ｎ入力サンプルのシーケンスは回転され（各入力サンプルをフェーザー(phasor)
【数１】
2010239639.tif 000003
【０００８】
で乗算することにより）Ｎの回転された入力サンプルのシーケンスを得る。次に、Ｎの回転された入力サンプルのシーケンスは、Ｎcのサンプル離間されたＬの回転された入力サンプルの各セットに対して累算され、Ｎcの時間領域値のシーケンスを得る。次にＮcの時間領域値のシーケンスに対してＮcポイントの高速フーリエ変換（ＦＦＴ）が実行され、ＮcのサブバンドのためのＮcの周波数領域値を得る。部分フーリエ変換は、ＮポイントＦＦＴの代わりにＮcポイントのＦＦＴを用いてＮcのサブバンドのための周波数領域値を供給する。
【０００９】
他の観点において、ＯＦＤＭをベースにしたシステムにおいてチャネル推定を実行するための技術が記載される。このシステムの場合、パイロットシンボルは、グループｐにおけるサブバンド上で送信され、グループｍのサブバンドのためのチャネル利得推定値が所望される。チャネル推定の場合、部分フーリエ変換は最初に入力サンプルのシーケンス上で実行され、グループｐにおけるサブバンドのための受信されたパイロットシンボルを得る。次に、グループｐにおけるサブバンドのためのチャネル推定値は、受信されたパイロットシンボル上の変調を除去することにより得られる。グループｐのためのチャネル利得推定値に対してＩＦＦＴが実行され、時間領域チャネル利得値を得る。時間領域チャネル利得値はフェーザー
【数２】
2010239639.tif 000004
【００１０】
を用いてディローテート(derotate)され、ディローテートされた時間領域チャネル利得値を得る。グループｍのためのチャネル利得推定値を得るために、ディローテートされた時間領域チャネル利得値は、フェーザー
【数３】
2010239639.tif 000005
【００１１】
を用いてローテートされ、グループｍのためのローテートされたチャネル利得値を得る。
【００１２】
また、時間領域チャネル利得値は
【数４】
2010239639.tif 000006
【００１３】
を用いてローテートされ、グループｍのためのローテートされたチャネル利得値を直接得る。どんな場合も、ローテートされたチャネル利得値に対してＦＦＴが実行され、グループｍ内のサブバンドのためのチャネル利得推定値を得る。異なるフェーザーによるのにもかかわらず、サブバンドの他のグループのためのチャネル利得推定値は、類似の方法で時間領域チャネル利得値を処理（ディローテート）することにより得てもよい。
【００１４】
さらに他の観点において、ＯＦＤＭをベースにしたシステムにおいてサブバンドをベースにした復調を実行するための技術が記載される。入力サンプルのシーケンスに対して部分フーリエ変換が実行され、サブバンドのグループのための受信したシンボルを得る。サブバンドのグループのためのチャネル利得推定値も得られる。次に、受信されたシンボルは、チャネル利得推定値を用いて処理され（により等化され）、サブバンドのグループのためのリカバーされたデータシンボルを得る。サブバンドの他のグループのための復調は類似の方法で実行されてもよい。
【００１５】
この発明の種々の観点および実施形態は以下にさらに詳細に説明される。
【図面の簡単な説明】
【００１６】
【図１Ａ】図１ＡはＯＦＤＭサブバンド構造を示す。
【図１Ｂ】図１Ｂは、ＯＦＤＭをベースとしたシステムのためのサブバンド配置を示す。
【図２】図２はサブバンドをベースにしたＯＦＤＭ復調を実行するためのプロセスを示す。
【図３】図３は、部分フーリエ変換を実行するためのプロセスを示す。
【図４】図４はチャネル推定を実行するためのプロセスを示す。
【図５】図５はＯＦＤＭをベースにしたシステム内の送信機を示す。
【図６】図６はＯＦＤＭをベースにしたシステム内の受信機を示す。
【図７】図７はサブバンドの１つのグループのための部分フーリエ変換ユニットを示す。
【図８】図８はチャネル推定器を示す。
【図９】図９はサブバンドをベースにしたＯＦＤＭ復調を示す。
【発明を実施するための形態】
【００１７】
「例示」という用語はここでは、例、インスタンス、または例証として機能することを意味する。「例示」としてここに記載された任意の実施形態または設計は必ずしも他の実施形態または設計に対して好適であるとかまたは利点があると解釈されるべきでない。明確にするために、以下の記載では、「シーケンス」は時間領域サンプルおよび値のために使用される。
【００１８】
図１ＡはＯＦＤＭサブバンド構造を示す。ＯＦＤＭをベースにしたシステムは、ＷＭＨｚの全体のシステム帯域幅を有し、ＷＭＨｚは、ＯＦＤＭを用いてＮの直交サブバンド１１０に分割される。各サブバンドはＷ／Ｎ  ＭＨｚの帯域幅を有し、データで復調されてもよいそれぞれのキャリア１１２に関連する。ＯＦＤＭをベースにしたシステムは、データおよびパイロット送信のために中央サブバンドのみを使用してもよく、ガードサブバンドとして２つの終端上のいくつかのサブバンドを保存し、システムがスペクトルマスク要件を満足可能にしてもよい。簡単にするために、以下の記述は、すべてのＮのサブバンドが送信のために使用されると仮定する。
【００１９】
図１Ｂは、ＯＦＤＭをベースにしたシステム内のＮのサブバンドを分割するための例示周波数分割多重（ＦＤＭ）スキームを示す。このＦＤＭスキームの場合、ＮのサブバンドはＬの互いに素なグループに配列される。各グループはＮcのサブバンドを含む。但し、Ｎc・Ｌ＝Ｎである。例えば、ＯＦＤＭをベースにしたシステムは、Ｎ＝４０９６合計サブバンドとＬ＝８のサブバンドグループを有し、各グループは、Ｎc＝５１２のサブバンドを有していてもよい。Ｌのグループは、Ｎのサブバンドの各々が唯一のグループに属するという点において互いに素である。グループ内の連続するサブバンドはＬのサブバンドだけ離間されるように、各グループ内のＮcのサブバンドはＮのサブバンドにわたって均一に分布される。このようにして各グループ内のサブバンドは他のＬ−１グループ内のサブバンドとインターレースされる。Ｎのサブバンドは他の方法で分割してもよい。簡単にするために、以下の記載は、図１Ｂに示されるサブバンド配列を仮定する。
【００２０】
ＯＦＤＭを用いて、データまたはパイロットのための１つの変調シンボルは、各シンボル期間におけるＮのサブバンドの各々上に送信されてもよい。データシンボルはデータのための変調シンボルであり、パイロットシンボルはパイロットのための変調シンボルである。Ｎのサブバンドより少ないサブバンドが使用されるなら、ゼロの信号値が各未使用のサブバンドのために供給される。シンボル期間ごとに、ＮのサブバンドのためのＮのシンボル（すなわち、データシンボル、パイロットシンボル、および／またはゼロ）は、Ｎポイントの逆高速フーリエ変換（ＩＦＦＴ）を用いて時間領域に変換され、Ｎの時間領域チップを含む変換されたシンボルを得る。シンボル間干渉（ＩＳＩ）に対抗するために、各変換されたシンボルの部分が反復され、Ｎ＋Ｃチップ、但しＣは反復されるチップ数である、を含む対応するＯＦＤＭシンボルを形成してもよい。反復された部分は、しばしばサイクリックプリフィックス(cyclic prefix)と呼ばれる。次に、ＯＦＤＭシンボルは通信リンクを介して送信される。
【００２１】
受信機はＯＦＤＭシンボルのためのＮ＋Ｃ入力サンプルを得る。但し、各入力サンプルは送信されたチップに相当する。受信機は、サイクリックプリフィックスのためのＣの入力サンプルを除去し、変換されたシンボルのためのＮの入力サンプルのシーケンスを得る。次に、受信機はＮの入力サンプルに対してＮポイントの高速フーリエ変換（ＦＦＴ）を実行し、ＮのサブバンドのためのＮの周波数領域の受信されたシンボルを得てもよい。受信されたシンボルは以下のように表してもよい。
【数５】
2010239639.tif 000007
【００２２】
但し、Ｓ（ｋ）は、サブバンドｋ上に送信されたシンボルである。Ｈ（ｋ）はサブバンドｋのための複素チャネル利得である。およびＮ（ｋ）はサブバンドｋのための受信機における雑音である。
【００２３】
受信機は以下のように、送信されたデータシンボルをリカバーしてもよい。
【数６】
2010239639.tif 000008
【００２４】
但し、
【数７】
2010239639.tif 000009
【００２５】
は、サブバンドｋのためのチャネル利得の推定値である。
【数８】
2010239639.tif 000010
【００２６】
は、サブバンドｋ上で送信されたシンボルの推定値である。
【数９】
2010239639.tif 000011
【００２７】
は、事後処理された雑音である。
【００２８】
方程式（２）は、サブバンドｋ上に送信されたデータシンボルＳ（ｋ）は、サブバンドｋのための受信したシンボルＸ（ｋ）を、サブバンドｋのためのチャネル利得推定値
【数１０】
2010239639.tif 000012
【００２９】
で除算することによりリカバーしてもよいことを示す。このオペレーションは一般に等化と呼ばれる。受信機は、送信機によって送信されたパイロットシンボルに基づいてチャネル利得を推定してもよい。
【００３０】
受信機が、１つまたは少数のグループのサブバンド上のデータをリカバーする必要しかないなら、すべてのＮのサブバンドの代わりに関心のあるサブバンドのみのために処理を実行することはより効率的である。Ｎが大きい場合（例えば、Ｎ＝４０９６）の場合、効率における利得は特に注目に値する。送信機は、データ送信のために使用されるサブバンドのグループとは異なるサブバンドのグループ上のパイロットシンボルを送信してもよい。この場合、受信機は、パイロットサブバンド（すなわち、パイロット送信のために使用されるサブバンド）上で受信されたパイロットシンボルに基づいて、データサブバンド（すなわち、データ送信のために使用されるサブバンド）のためのチャネル利得を推定することができる。
【００３１】
図２は、サブバンドをベースにしたＯＦＤＭ復調を実行し、サブバンドの他方のグループ（グループｐ）上に送信されたパイロットシンボルを用いて、サブバンドの一方のグループ（グループｍ）上に送信されたデータシンボルをリカバーするプロセス２００のフロー図を示す。図１Ｂに示されるＦＤＭスキームの場合、グループｍはサブバンドＬｋ＋ｍ但し、ｋ＝０．．．（Ｎc−１）を含み、グループｐはＬｋ＋ｐ、但しＫ＝０．．．（Ｎc−１）であり、０≦ｍ≦（Ｎc-１）、および０≦ｐ≦（Ｎc−１）である。
【００３２】
最初にＮの入力サンプルのシーケンス上で部分フーリエ変換が実行され、グループｍ内のサブバンドのためのＮcの受信したシンボルのグループを得る（ステップ２１０）。入力サンプルのシーケンスは｛ｘ（ｎ）｝として示される。これは、ｎ＝０．．．（Ｎ−１）の場合のｘ（ｎ）である。受信されるシンボルのグループは｛Ｘm（ｋ）｝または｛Ｘ（Ｌｋ＋ｍ）｝として示される。これは、ｋ＝０．．．（Ｎc-1）の場合のＸ（Ｌｋ＋ｍ）である。部分フーリエ変換はＮポイントＦＦＴの代わりにＮcポイントＦＦＴを利用し、以下に記載するように実行してもよい。
【００３３】
また、Ｎの入力サンプルのシーケンスが処理され、グループｍにおけるサブバンドのためのチャネル利得推定値を得る（ステップ２２０）。グループｍのためのチャネル利得推定値は
【数１１】
2010239639.tif 000013
【００３４】
として示され、これは、ｋ＝０．．．（Ｎc−１）の場合の
【数１２】
2010239639.tif 000014
【００３５】
である。また、下記に記載されるように、ステップ２２０は、部分フーリエ変換および逆フーリエ変換を用いて実行してもよい。次に、グループｍ内のサブバンドのための受信したシンボルは、グループｍ内のサブバンドのためのチャネル利得推定値で処理され、例えば方程式（２）で示すようにグループｍ内のサブバンドのためのリカバーされたデータシンボルを得る。グループｍのためのリカバーされたデータシンボルは
【数１３】
2010239639.tif 000015
【００３６】
として示され、これはｋ＝０．．．（Ｎc−１）の場合に、
【数１４】
2010239639.tif 000016
【００３７】
である。
【００３８】
グループｍにおけるＮcのサブバンドのためのフーリエ変換は以下のように表してもよい。
【数１５】
2010239639.tif 000017
【００３９】
但し
【数１６】
2010239639.tif 000018
【００４０】
次の項を定義してもよい。
【数１７】
2010239639.tif 000019
【数１８】
2010239639.tif 000020
【００４１】
は、
【数１９】
2010239639.tif 000021
【００４２】
（これは、サンプルごとに変化するフェーザーである）により入力サンプルｘ（ｎ）をローテートすることにより得られるローテートされた入力サンプルである。
【００４３】
ｇm（ｎ）は、Ｎcだけ離間されたＬのローテートされた入力サンプルを累算することにより得られる時間領域値である。
【００４４】
次に、方程式（３）は以下のように表してもよい。
【数２０】
2010239639.tif 000022
【００４５】
図３は、部分フーリエ変換を実行し、サブバンドの１つのグループのための受信したシンボルを得るプロセス２１０ａのフロー図を示す。プロセス２１０ａは、図２のステップ２１０のために使用してもよい。最初に、Ｎの入力サンプルｘ（ｎ）のシーケンスは、各入力サンプルを
【数２１】
2010239639.tif 000023
【００４６】
と乗算することによりローテートされ、グループｍのためのＮのローテートされた入力サンプルのシーケンスを得る。これは、方程式（４）として示されるように
【数２２】
2010239639.tif 000024
【００４７】
として示される（ステップ３１２）。次に、Ｎのローテートされた入力サンプルのシーケンスは、Ｌのローテートされた入力サンプルのセットにおいて、累算され、グループｍのためのＮcの時間領域値のシーケンスを得る。これは、方程式（５）に示すように｛ｇm（Ｎ）｝として示される（ステップ３１４）。各セットは、ローテートされた入力サンプルのシーケンスにすべてのＮc番目のサンプルを含む。Ｎcセットは、シーケンス内の異なる開始するローテートされた入力サンプルと関連する。次に、ＮcポイントＦＦＴは、Ｎcの時間領域値のシーケンス上で実行され、方程式（６）に示すように、グループｍのためのＮcの受信したシンボルを得る（ステップ３１６）。
【００４８】
図４は、グループｐ内のサブバンド上で受信されたパイロットシンボルに基づいてグループｍ内のサブバンドのためのチャネル利得推定値を得るためのプロセス２２０ａを示す。但し、Ｐ≠ｍである。プロセス２２０ａは図２のステップ２２０のために使用してもよい。最初に、例えば、グループｍ内のサブバンドのためのデータシンボルをリカバーするための上述したプロセス２１０ａを用いて、グループｐ内のサブバンドのための受信されたパイロットシンボルが得られる。ステップ４１２の出力は、Ｎcの受信したパイロットシンボルである。これは、
【数２３】
2010239639.tif 000025
【００４９】
として示される。
【００５０】
次に、受信したパイロットシンボル上の変調が除去され、以下に示すように、グループｐにおけるサブバンドのためのチャネル利得推定値を得る（ステップ４１４）。
【数２４】
2010239639.tif 000026
【００５１】
但し、Ｐ（Ｌｋ＋ｐ）はグループｐにおけるサブバンドのための周知のパイロットシンボルである。グループｐのためのチャネル利得推定値は、
【数２５】
2010239639.tif 000027
【００５２】
として示され、これは、
【数２６】
2010239639.tif 000028
【００５３】
である。次に、ＮcポイントＩＦＦＴがグループｐのためのチャネル利得推定値上で実行され、Ｎcの時間領域チャネル利得値｛ｈp（ｎ）｝のシーケンスを得る。これは、変調された時間領域チャネル推定値
【数２７】
2010239639.tif 000029
【００５４】
を構成する（ステップ４１６）。次に、Ｎcの時間領域チャネル利得値のシーケンスは、
【数２８】
2010239639.tif 000030
【００５５】
と乗算することによりディローテートされ、以下のようにＮcのディローテートされた時間領域チャネル利得値のシーケンスを得る。
【数２９】
2010239639.tif 000031
【００５６】
（ステップ４１８）
従って、ディローテートされた時間領域チャネル利得値のシーケンスから、グループｍ内のサブバンドのためのチャネル利得推定値が導き出される。Ｎcのサブバンドのためのディローテートされたチャネル利得推定値のためのフーリエ変換は以下のように表してもよい。
【数３０】
2010239639.tif 000032
【００５７】
グループｐ内のサブバンドのためのチャネル利得推定値のためのフーリエ変換は以下のように表してもよい。
【数３１】
2010239639.tif 000033
【００５８】
方程式（９）において示されるように、グループｍ内のサブバンドのためのチャネル利得推定値は、最初にディローテートされた時間領域チャネル利得値｛ｈ（ｎ）｝のシーケンスを
【数３２】
2010239639.tif 000034
【００５９】
により乗算し、ローテートされたチャネル利得値のシーケンスを得ることにより、得ることができる。次に、ＮcポイントＦＦＴは、ローテートされたチャネル利得値のシーケンス上で実行され、グループｍにおけるサブバンドのためのチャネル利得推定値を得る（ステップ４２２）。ステップ４１８におけるディローテーションおよびステップ４２０におけるローテーションは結合してもよく、グループｍのためのローテートされたチャネル利得値は、
【数３３】
2010239639.tif 000035
【００６０】
として得てもよい。
【００６１】
図５は、サブバンドの１つ以上のグループにデータを送信することができる送信機５００のブロック図である。明確にするために、以下の記載は、サブバンドのＭグループ（すなわち、グループａ乃至ｍ）上のデータ送信およびサブバンドの１つのグループ（すなわち、グループｐ）上のパイロット送信のためのものである。
【００６２】
送信機５００において、符号器／変調器５１４はデータソース５１２からトラヒックデータを受信し、コントローラー５４０から他のデータを受信する。符号器／変調器５１４は、受信したデータを処理し（例えば、フォーマットし、符号化し、インターリーブし、および変調する）、データシンボルのストリーム、｛Ｓ（ｋ）｝を供給する。各データシンボルは使用のために選択された変調スキームのための変調シンボルである。変調シンボルは、選択された変調スキームに対応する信号コンステレーション(constellation)内の特定ポイントのための複素値である。デマルチプレクサー（Ｄｅｍｕｘ）５１６は、データシンボルのストリーム、｛Ｓ（ｋ）｝を受信し、これらのデータシンボルをグループａ乃至ｍ内のサブバンドに供給する。また、デマルチプレクサー５１６は、送信機と受信機の両方によって先験的に知られている変調シンボルであるパイロットシンボルも受信し、これらのパイロットシンボルをグループｐ内のサブバンドに供給する。デマルチプレクサー５１６は、データまたはパイロット送信のために使用されない各サブバンドのためにゼロの信号値（「ゼロ」シンボル）も供給する。
【００６３】
ＯＦＤＭ変調器５２０は、マルチプレクサー５１６からシンボルを受信し、これらのシンボルに対してＯＦＤＭ変調を実行する。ＯＦＤＭ変調器５２０は、逆高速フーリエ変換（ＩＦＦＴ）ユニット５２２およびサイクリックプリフィックス発生器５２４を含む。シンボル期間毎に、ＩＦＦＴユニット５２２は、Ｎポイント逆ＦＦＴを用いて、Ｎのシンボルを時間領域に変換し、Ｎの時間領域チップを含む変換されたシンボルを得る。各チップは、１チップ期間で送信される複素値である。次に、サイクリックプリフィックス発生器５２４は、各変換されたシンボルの一部を反復し、Ｎ＋Ｃチップを含むＯＦＤＭシンボルを形成する。シンボル期間は、Ｎ＋Ｃチップ期間である１ＯＦＤＭシンボルの継続期間である。ＯＦＤＭ変調器５２０は、ＯＦＤＭシンボル毎に時間領域チップのシーケンスを供給する。
【００６４】
送信機ユニット（ＴＭＴＲ）５３０は、チップのストリームを受信して処理し（例えば、アナログに変換し、フィルターし、増幅し、周波数アップコンバートする）、変調された信号を得る。次に変調された信号は、アンテナ５３２から送信される。コントローラー５４０は送信機５００における動作を指示する。メモリユニット５４２は、コントローラー５４０により使用されるプログラムコードおよびデータのための記憶装置を提供する。
【００６５】
図６は、サブバンドの１つ以上のグループ上のデータをリカバーするために、サブバンドをベースにしたＯＦＤＭ復調を実行することができる受信機６００のブロック図を示す。この場合も先と同様に、明確にするために、以下の記載は、サブバンドのＭグループ（すなわち、グループａ乃至ｍ）上のデータ受信およびサブバンドの１つのグループ（すなわち、グループｐ）上のパイロット送信のためのものである。受信機６００において、送信機５００により送信される変調信号はアンテナ６１２により受信される。受信機ユニット（ＲＣＶＲ）６１４は、アンテナ６１２からの受信信号を処理し（例えば、周波数ダウンコンバートし、フィルターし、増幅し、およびデジタル化する）、入力サンプルを供給する。
【００６６】
サブバンドをベースにしたＯＦＤＭ復調器６２０は、入力サンプルを処理し、リカバーされたデータシンボルを供給する。リカバーされたデータシンボルは、送信機５００により送信されたデータシンボルの推定値である。図６に示される実施形態の場合、サブバンドをベースにしたＯＦＤＭ復調器６２０は、サイクリックプリフィックス除去ユニット６２２、フーリエ変換ユニット６３０、チャネル推定器６４０およびイコライザー６５０を含む。サイクリックプリフィックス除去ユニット６２２は、各受信されたＯＦＤＭシンボル内のサイクリックプリフィックスを除去し、フーリエ変換ユニット６３０とチャネル推定器６４０の両方に、入力サンプルのシーケンス、｛ｘ（ｎ）｝を供給する。フーリエ変換ユニット６３０は、サブバンドのＭグループの各々のための入力サンプルシーケンスに対して部分フーリエ変換を実行し、Ｍのサブバンドグループのための、受信したシンボルのＭのグループ、｛Ｘa（ｋ）｝乃至｛Ｘm（ｋ）｝を供給する。チャネル推定器６４０は、入力サンプルのシーケンスに基づいて、サブバンドのＭのグループのためのおのおののためのチャネル利得推定値を導き出し、ＭのサブバンドグループのためのＭのグループのチャネル利得推定値
【数３４】
2010239639.tif 000036
【００６７】
を供給する。イコライザー６５０は、ＭのサブバンドグループのためのＭのグループの受信シンボルとＭのグループのチャネル利得推定値を受信し、方程式（２）に示すように受信したシンボルに対して等化を実行し、ＭのサブバンドグループのためのＭのグループのリカバーされたデータシンボル
【数３５】
2010239639.tif 000037
【００６８】
を供給する。
【００６９】
マルチプレクサー（ＭＵＸ）６５２は、Ｍのサブバンドグループのためのリカバーされたデータを受信して多重化し、リカバーされたデータシンボル
【数３６】
2010239639.tif 000038
【００７０】
の１つのストリームを供給する。復調器／復号器６５４はリカバーされたデータシンボルストリームを処理し（例えば、復調し、デインターリーブし、およびデコードする）、デコードされたデータをデータシンク６５６に供給する。コントローラー６６０は、受信機６００における動作を指示する。メモリユニット６６２は、コントローラー６６０により使用されるプログラムコードおよびデータのための記憶装置を提供する。
【００７１】
図７はサブバンドの１つのグループに対して受信したシンボルを得るために使用されてもよい部分フーリエ変換ユニット７１０のブロック図を示す。ユニット７１０は、ローテーター７２０、アキュムレーター７３０、バッファー７４０、アドレス発生器７４２、およびＮcポイントＦＦＴユニット７５０を含む。バッファー７４０はＮcの時間領域値｛ｇm（ｎ）｝を記憶する。各シンボル期間の開始において、バッファー７４０はリセットされる（すなわち、ゼロで充填される）。
【００７２】
ローテーター７２０は、入力サンプルのシーケンスを受信する。ローテーター７２０内の乗算器７２２は、各入力サンプルｘ（ｎ）を
【数３７】
2010239639.tif 000039
【００７３】
と乗算し、方程式（４）に示すように、対応するローテートされた入力サンプル
【数３８】
2010239639.tif 000040
【００７４】
を得る。アキュムレーター７３０は、方程式（５）に示すように、Ｎcの時間領域値｛ｇm（ｎ）｝の各々のための累算を実行する。ローテートされる入力サンプル
【数３９】
2010239639.tif 000041
【００７５】
毎にこのローテートされた入力サンプルのための時間領域値ｇm（ｎ）のための現在値はバッファー７４０から検索され、加算器７３２に供給される。加算器７３２は、ローテートされた入力サンプル
【数４０】
2010239639.tif 000042
【００７６】
を現在値に加算し、更新値をレジスター７３４に供給する。レジスター７３４は、更新値を、時間領域値ｇm（ｎ）のためのバッファー７４０の適切なロケーションに記憶する。
【００７７】
入力サンプルｘ（ｎ）毎に、バッファー７４０は、対応する時間領域サンプルｇm（ｎ）のための現在値を供給し、更新値を記憶する。アドレス発生器７４２はバッファー７４０のためのアドレスを発生し、モジュロカウンターを用いて実施してもよい。
【００７８】
各シンボル期間の終わりで、シンボル期間のためのすべてのＮの入力サンプルが受信され累算された後で、ＦＦＴユニット７５０は、バッファー７４０からのＮcの時間領域値｛ｇm(n)｝に対してＮcポイントＦＦＴを実行し、グループｍ内のサブバンドのためのＮcの受信したシンボル｛Ｘm（ｋ）｝を得る。
【００７９】
図８は、サブバンドグループｐ上で受信したパイロットシンボルに基づいてサブバンドグループａ乃至ｍのためのチャネル利得推定値を供給することができるチャネル推定器６４０の一実施形態のブロック図を示す。チャネル推定器６４０は、部分フーリエ変換ユニット７１０ｐ、パイロット復調ユニット８６０、ポイントＩＦＦＴユニット８７０、およびＭのサブバンドグループのためのＭの部分フーリエ変換ユニット８８０ａ乃至８８０ｍを含む。
【００８０】
部分フーリエ変換ユニット７１０ｐは入力サンプルのシーケンスを受信して処理し、グループｐにおけるサブバンドのためのＮcの受信されたシンボル｛Ｘp（ｋ）｝を得る。ユニット７１０ｐは、ローテーター７２０ｐ内の乗算器７２２ｐは入力サンプルｘ（ｎ）を
【数４１】
2010239639.tif 000043
【００８１】
の代わりに
【数４２】
2010239639.tif 000044
【００８２】
と乗算し、ローテートされた入力サンプル
【数４３】
2010239639.tif 000045
【００８３】
を供給することを除いて、図７のユニット７１０と同じ方法で実施される。パイロット復調ユニット８６０は、受信したシンボル｛Ｘp（ｋ）｝を共役パイロットシンボルＰ*（Ｌｋ＋ｐ）と乗算し、グループｐ内のサブバンドのためのチャネル利得推定値
【数４４】
2010239639.tif 000046
【００８４】
を得る。
【００８５】
ＩＦＦＴユニット８７０は、チャネル利得推定値
【数４５】
2010239639.tif 000047
【００８６】
に対してＮcポイントＩＦＦＴを実行し、時間領域チャネル利得推定値｛ｈp（ｎ）｝を供給し、乗算器８７２は、
【数４６】
2010239639.tif 000048
【００８７】
により時間領域チャネル推定値｛ｈp（ｎ）｝をディローテートし、Ｎcのディローテートされた時間領域チャネル利得値｛ｈ（ｎ）｝を供給する。
【００８８】
各変換ユニット８８０はＮcのディローテートされた時間領域チャネル利得値｛ｈ（ｎ）｝を受信し、その割り当てられたグループ内のサブバンドのためのチャネル利得推定値を導き出す。各変換ユニット８８０は、乗算器８８２およびポイントＦＦＴユニット８８４を含む。グループｍのための変換ユニット８８０ｍ内で、乗算器８８２ｍはディローテートされた時間領域チャネル利得値を
【数４７】
2010239639.tif 000049
【００８９】
と乗算する。次に、ＦＦＴユニット８８４ｍは乗算器８８２ｍからのローテートされたチャネル利得値に対して、ＮcポイントＦＦＴを実行し、グループｍのためのＮcのチャネル利得推定値
【数４８】
2010239639.tif 000050
【００９０】
を供給する。Ｍの変換ユニット８８０ａ乃至８８０ｍは、それぞれサブバンドグループａ乃至ｍに対してＭのグループのチャネル利得推定値
【数４９】
2010239639.tif 000051
【００９１】
を供給する。
【００９２】
フィルタリングは、チャネル推定処理経路に沿って種々のロケーションで実行して、改善された品質を有するチャネル利得推定値を得てもよい。一例として、ユニット７５０ｐを用いてＮcポイントＦＦＴを実行する前に複数のシンボル期間にわたって、ローテートされた入力サンプル
【数５０】
2010239639.tif 000052
【００９３】
を平均化してもよい。他の例として、フィルタリングは、（１）グループｐ内のサブバンドのための受信されたシンボル｛Ｘp（ｋ）｝に対して、（２）グループｐ内のサブバンドのためのチャネル利得推定値
【数５１】
2010239639.tif 000053
【００９４】
に対して、
（３）グループｐのための時間領域チャネル利得推定値｛ｈp（ｎ）｝に対して、（４）ディローテートされた時間領域チャネル利得値｛ｈ（ｎ）｝等に対して実行してもよい。
【００９５】
データサブバンドのためのチャネル利得推定値も他の方法で得てもよい。
【００９６】
例えば、グループｍ内のサブバンドのためのチャネル利得推定値は、グループｇ内のサブバンドのためのチャネル利得推定値に対して（例えば、線形）補間を実行することにより得てもよい。
【００９７】
図９は、サブバンドをベースにしたＯＦＤＭ復調器６２０の一実施形態のブロック図を示す。ＯＦＤＭ復調器６２０内で、サイクリックプリフィックス除去ユニット６２２は、入力サンプルを受信し、ＯＦＤＭシンボル毎にサイクリックプリフィックスを除去し、入力サンプルのシーケンス｛ｘ（ｎ）｝をフーリエ変換ユニット６３０とチャネル推定器６４０に供給する。
【００９８】
フーリエ変換ユニット６３０は、Ｍのサブバンドグループの各々に対して１つの変換ユニット７１０の割合で、Ｍの部分フーリエ変換ユニット７１０ａ乃至７１０ｍを含む。
【００９９】
各部分フーリエ変換ユニット
【数５２】
2010239639.tif 000054
【０１００】
但し、
【数５３】
2010239639.tif 000055
【０１０１】
は、図７に示されるように実施される。サブバンドグループ
【数５４】
2010239639.tif 000056
【０１０２】
のためのフーリエ変換ユニット
【数５５】
2010239639.tif 000057
【０１０３】
は、
【数５６】
2010239639.tif 000058
【０１０４】
を用いて入力サンプルのシーケンスに対してローテーションを実行し、ローテートされた入力サンプル
【数５７】
2010239639.tif 000059
【０１０５】
を累算し、時間領域値
【数５８】
2010239639.tif 000060
【０１０６】
に対してＮcポイントＦＦＴを実行し、グループ
【数５９】
2010239639.tif 000061
【０１０７】
内のサブバンドのための受信されたシンボル
【数６０】
2010239639.tif 000062
【０１０８】
を供給する。チャネル推定器６４０は、図８に示されるように実施され、図８のために上述されたように入力サンプルを処理し、Ｍのサブバンドグループの各々のためのチャネル利得推定値を供給する。
【０１０９】
イコライザー６５０は、Ｍのサブバンドグループの各々に対して１つのイコライザー８５０の割合で、Ｍの単一タップイコライザー９５０ａ乃至９５０ｍを含む。各イコライザー
【数６１】
2010239639.tif 000063
【０１１０】
但し
【数６２】
2010239639.tif 000064
【０１１１】
は受信したシンボルのグループ
【数６３】
2010239639.tif 000065
【０１１２】
および関連するサブバンドグループ
【数６４】
2010239639.tif 000066
【０１１３】
のためのチャネル利得推定値のグループ
【数６５】
2010239639.tif 000067
【０１１４】
を受信する。サブバンドグループｍのためのイコライザー９５０ｍ内で、除算器９５２ｍは、各サブバンドのための受信されたシンボルＸm（ｋ）をそのサブバンドのためのチャネル利得推定値
【数６６】
2010239639.tif 000068
【０１１５】
で除算する。次に、スライサー９５４ｍは、除算器９５２ｍの出力をスライスし、（すなわち、量子化し）、リカバーされたデータシンボル
【数６７】
2010239639.tif 000069
【０１１６】
を供給する。
【０１１７】
Ｍのイコライザー９５０ａ乃至９５０ｍは、Ｍのサブバンドグループａ乃至ｍのためのＭのグループのリカバーされたデータシンボル
【数６８】
2010239639.tif 000070
【０１１８】
を供給する。
【０１１９】
図９は、単一タップイコライザーが各データサブバンドに対して使用される例示受信機アーキテクチャーを示す。受信されたシンボルおよびチャネル利得推定値は他の方法で処理してもよい。例えば、整合フィルタリングは、チャネル利得推定値を有する受信されたシンボルに対して実行してもよい。他の例として、対数尤度比（ＬＬＲｓ）は、受信したシンボルおよび／またはチャネル利得推定値に対して計算してもよく、ＬＬＲｓは、反復法で、ターボデコーダーにより処理してもよい。
【０１２０】
部分フーリエ変換、チャネル推定、およびＯＦＤＭ復調を実行するためにここに記載された技術（または単に、「サブバンドをベースにしたＯＦＤＭ復調」技術）は、受信機の設計を簡単化することができ、種々の利点を提供する。所定のグループのサブバンドのためのデータシンボルをリカバーするために、サイズＮcのＦＦＴｓのみが実行され、サイズＮのＦＦＴｓは必要とされない。Ｍのサブバンドグループのためのローテーションおよび累算は、余分なバッファリングを回避するために並列に実行することができる。あるいは、ハードウエアの１セットを使用して時分割多重（ＴＤＭ）方法でＭのサブバンドグループを処理し、ハードウエア要件を低減してもよい。
【０１２１】
各サブバンドグループのためのローテーションと累算はサンプルレートで実行してもよい、すなわち、入力サンプルが受信機に到着する各入力サンプルに対して実行してもよいので、処理遅延も低減される。各サブバンドグループのための時間領域値のシーケンス、｛ｇm（ｎ）｝は、任意のさらなる遅延無くして、全体のＯＦＤＭシンボルが受信されるやいなや利用可能である。各サブバンドグループのためのチャネル利得推定値は、ディローテートされた時間領域チャネル利得値、｛ｈ（ｎ）｝に基づいて得られる。従って、Ｍのサブバンドグループのためのチャネル推定は、さらなるバッファリングを必要とせずにシリアルに実行してもよい。
【０１２２】
簡単にするために、サブバンドをベースにしたＯＦＤＭ復調技術が図１Ｂに示されるサブバンド配列のために記載された。これらの技術は、他のサブバンド配列のために使用されてもよい。一般に、サブバンドグループは、（上述したように）同じ数のサブバンドまたは異なる数のサブバンドを含んでいてもよい。さらに、各グループ内のサブバンドは、他のいくつかの方法で選択されてもよい。唯一の要件は、上述したように、部分ＦＦＴｓに分解することにより、ＦＦＴにおける簡便さを得るために、各グループ内のサブバンドが、Ｎの合計サブバンドにわたって均一に分布されることである。例えば、Ｎ＝４０９６なら、グループ１は、１２８のサブバンドにより分離される３２のサブバンドを含んでいてもよく、グループ２は、４のサブバンドにより分離される１０２４のサブバンドを含んでいてもよく、以下同様である。パイロットサブバンドグループはまた、データサブバンドグループと同じまたは異なる数のサブバンドを含んでいてもよい。サブバンド配列が異なると、ローテーションのために異なるフェーザー
【数６９】
2010239639.tif 000071
【０１２３】
が使用されてもよく、異なる数のローテートされた入力サンプルが累算されてもよく、異なるサイズのＦＦＴが実行されて、所定のサブバンドグループのための受信されたシンボルを得てもよい。
【０１２４】
サブバンドをベースにしたＯＦＤＭ復調技術は、ダウンリンク（すなわち、フォワードリンク）並びにアップリンク（すなわち、リバースリンク）のために使用されてもよい。
【０１２５】
ダウンリンクの場合、送信機５００はアクセスポイントであり、受信機６００はユーザー端末である。アップリンクの場合、送信機５００はユーザー端末であり、受信機６００はアクセスポイントである。ここに記載された技術はまた種々のＯＦＤＭをベースにしたシステム（例えば、ＯＦＤＭＡシステム）のために使用されてもよい。
【０１２６】
明確にするために、サブバンドをベースにしたＯＦＤＭ復調技術は、単一入力単一出力（ＳＩＳＯ）通信システムのために記載された。また、これらの技術は、多数入力単一出力（ＭＩＳＯ）システム、単一入力多数出力（ＳＩＭＯ）システム、および多数入力多数出力（ＭＩＭＯ）システムのために使用されてもよい。ＭＩＭＯシステムの場合、１つのフーリエ変換ユニット６３０は、受信機における複数（ＮＲ）の受信アンテナの各々のために設けられる。各フーリエ変換ユニット６３０は、関連するアンテナのために入力サンプルを処理し、そのアンテナのためのＭのグループのためのサブバンドのためのＭのグループの受信されたシンボルを提供する。次に、データシンボルをリカバーするために、ＮＲの受信アンテナのためのＭのグループの受信シンボルのＮＲの集合に対して空間処理が実行される。空間処理は、ゼロフォーシング(zero-forcing)イコライザー、最小平均二乗誤差（ＭＭＳＥ）イコライザー、またはその他のイコライザーを用いて実行してもよい。
【０１２７】
ここに記載されたサブバンドをベースにしたＯＦＤＭ復調は種々の手段により実施してもよい。例えば、これらの技術は、ハードウエア、ソフトウエア、またはそれらの組み合わせで実施してもよい。ハードウエア実施の場合、サブバンドをベースにしたＯＦＤＭ復調を実行するために使用される処理ユニットは、１つ以上の特定用途向け集積回路（ＡＳＩＣｓ）、デジタルシグナルプロセッサー（ＤＳＰｓ）、デジタルシグナル処理装置（ＤＳＰＤｓ）、プログラマブルロジックデバイス（ＰＬＤｓ）、フィールドプログラマブルゲートアレイ（ＦＰＧＡｓ）、プロセッサー、コントローラー、マイクロコントローラー、マイクロプロセッサー、ここに記載された機能を実行するように設計された他の電子ユニット、またはそれらの組み合わせ内で実施してもよい。
【０１２８】
ソフトウエア実施の場合、サブバンドをベースにしたＯＦＤＭ復調技術は、ここに記載された機能を実行するモジュール（例えば、手続、機能等）を用いて実施してもよい。ソフトウエアコードは、メモリユニット（例えば、図６のメモリユニット６６２）に記憶してもよく、プロセッサー（例えば、コントローラー６６０）により実行してもよい。メモリユニットはプロセッサー内部で、またはプロセッサー外部で実施してもよい。プロセッサー外部で実施する場合、メモリユニットは、技術的に知られている種々の手段を介してプロセッサーに通信可能に接続することができる。
【０１２９】
開示された実施形態の上記記述は、当業者がこの発明を製作または使用可能にするために設けられる。これらの実施形態に対する種々の変更は、当業者には容易に明白であり、ここに定義される包括的原理は、この発明の精神または範囲を逸脱することなく他の実施形態に適用してもよい。従って、この発明は、ここに示された実施形態に限定されることを意図したものではなく、ここに開示される原理および新規な特徴に一致する最も広い範囲が許容されるべきである。
【図１Ａ】
2010239639.tif 000073
【図１Ｂ】
2010239639.tif 000074
【図２】
2010239639.tif 000075
【図３】
2010239639.tif 000076
【図４】
2010239639.tif 000077
【図５】
2010239639.tif 000078
【図６】
2010239639.tif 000079
【図７】
2010239639.tif 000080
【図８】
2010239639.tif 000081
【図９】
2010239639.tif 000082
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
通信システムにおいてチャネル推定を実行するための方法において、
入力サンプルのシーケンスに対してフーリエ変換を実行し、第１のグループのサブバンドのための受信されたパイロットシンボルを得ることと、
前記受信されたパイロットシンボルに基づいて、前記第１のグループのサブバンドのための第１のグループのチャネル利得推定値を得ることと、
前記第１のグループのチャネル利得推定値に対して逆高速フーリエ変換（ＩＦＦＴ）を実行し、時間領域チャネル利得値を得ることと、
前記時間領域チャネル利得値のシーケンスをローテートし、第２のグループのサブバンドのための第１のシーケンスのローテートされたチャネル利得値を得ることと、
前記第１のシーケンスのローテートされたチャネル利得値に対して高速フーリエ変換（ＦＦＴ）を実行し、前記第２のグループのためのサブバンドのための第２のグループのチャネル利得推定値を得ることと、
を備えた方法。
【請求項２】
前記フーリエ変換を実行することは、
前記入力サンプルのシーケンスをローテートし、ローテートされた入力サンプルのシーケンスを得ることと、
Ｌ（但しＬ＞１）のローテートされた入力サンプルのセットにおいて、前記ローテートされた入力サンプルのシーケンスを累算し、時間領域入力値のシーケンスを得ることと、
前記時間領域入力値のシーケンスに対して高速フーリエ変換を実行し、前記受信されたパイロットシンボルを得ることと、
を含む、請求項１の方法。
【請求項３】
前記時間領域チャネル利得値のシーケンスをディローテートし、ディローテートされた時間領域チャネル利得値のシーケンスを得ることをさらに備え、前記ディローテートされた時間領域チャネル利得値のシーケンスはローテートされて、前記第２のグループのサブバンドのための前記第１のシーケンスのローテートされたチャネル利得値を得る、請求項１の方法。
【請求項４】
前記時間領域チャネル利得値のシーケンスをローテートして第３のグループのサブバンドのためのローテートされたチャネル利得値の第２のシーケンスを得ることと、
前記ローテートされたチャネル利得値の第２のシーケンスに対して高速フーリエ変換を実行し、前記第３のグループのサブバンドのための第３のグループのチャネル利得値を得ることと、
をさらに備えた、請求項１の方法。
【請求項５】
前記チャネル利得推定値の第１のグループは、前記受信したパイロット信号の各々を前記受信したパイロットシンボルに対応する共役したパイロットシンボルと乗算することにより得られる、請求項１の方法。
【請求項６】
通信システムにおいてチャネル推定を実行するように動作可能な装置において、
入力サンプルのシーケンスに対してフーリエ変換を実行し、第１のグループのサブバンドのための受信されたパイロットシンボルを得るように機能的に作用するフーリエ変換ユニットと、
前記受信されたパイロットシンボルに基づいて前記第１のグループのサブバンドのために第１のグループのチャネル利得推定値を得るように機能的に作用するパイロット復調器と、
前記第１のチャネル利得推定値に対して逆高速フーリエ変換を実行し、時間領域チャネル利得値のシーケンスを得るように機能的に作用する逆高速フーリエ変換（ＩＦＦＴ）ユニットと、
前記時間領域チャネル利得のシーケンスをローテートし、第２のグループのサブバンドのためのローテートされたチャネル利得値の第１のシーケンスを得るように機能的に作用する第１のローテーターと、
前記ローテートされたチャネル利得値の第１のシーケンスに対して高速フーリエ変換を実行し、前記第２のグループのサブバンドのための第２のグループのチャネル利得推定値を得るように機能的に作用する第１の高速フーリエ変換（ＦＦＴ）ユニットと、
を備えた装置。
【請求項７】
前記フーリエ変換ユニットは、
前記入力サンプルのシーケンスをローテートし、ローテートされた入力サンプルのシーケンスを得るように機能的に作用する第２のローテーターと、
Ｌのローテートされた入力サンプルのセットにおいて、前記ローテートされた入力サンプルのシーケンスを累算し、時間領域入力値のシーケンスを得る、但しＬ＞１であるように機能的に作用するアキュムレーターと、
前記時間領域入力値のシーケンスに対して高速フーリエ変換を実行し前記受信されたパイロットシンボルを得るように機能的に作用する第２の高速フーリエ変換ユニットと、
を含む、請求項６の装置。
【請求項８】
前記時間領域チャネル利得値のシーケンスをローテートし、第３のグループのサブバンドのためのローテートされたチャネル利得値の第２のシーケンスを得るように機能的に作用する第２のローテーターと、
前記ローテートされたチャネル利得値の第２のシーケンスに対して高速フーリエ変換を実行し、前記第３のグループのサブバンドのための第３のグループのチャネル利得推定値を得るように機能的に作用する第２の高速フーリエ変換ユニットと、
をさらに備えた、請求項６の装置。
【請求項９】
通信システムにおいて、チャネル推定を実行するように動作可能な装置において、
入力サンプルのシーケンスに対してフーリエ変換を実行し、第１のグループのサブバンドのための受信されたパイロットシンボルを得る手段と、
前記受信されたパイロットシンボルに基づいて前記第１のグループのためのサブバンドのための第１のグループのチャネル利得推定値を得る手段と、
前記第１のグループのチャネル利得推定値に対して逆高速フーリエ変換（ＩＦＦＴ）を実行し、時間領域チャネル利得値のシーケンスを得る手段と、
前記時間領域チャネル利得値のシーケンスをローテートし、第２のグループのサブバンドのためのローテートされたチャネル利得値の第１のシーケンスを得る手段と、
前記ローテートされたチャネル利得値の第１のシーケンスに対して高速フーリエ変換（ＦＦＴ）を実行し、前記第２のグループのサブバンドのための第２のグループのチャネル利得推定値を得る手段と、
を備えた装置。
【請求項１０】
直交周波数分割多重（ＯＦＤＭ）を利用した通信システムにおいて復調を実行する方法において、
ＯＦＤＭシンボルのためのＮの入力サンプルのシーケンスに対して部分フーリエ変換を実行し、第１のグループのＮcサブバンド、但し、Ｎ＞Ｎc>1のための第１のグループのＮcの受信したシンボル得ることであって、前記部分フーリエ変換はＮcポイントの高速フーリエ変換（ＦＦＴ）を利用し前記第１のグループのＮcの受信されたシンボルを得ることと、
前記第１のグループのサブバンドのための第１のグループのチャネル利得推定値を得ることと、
前記第１のチャネル利得推定値を用いて前記第１のグループの受信したシンボルを処理し、前記第１のグループのサブバンドのための第１のグループのリカバーされたデータシンボルを得ることと、
を備えた方法。
【請求項１１】
前記通信システムは、Ｎの合計サブバンドを含み、前記第１グループ内の前記Ｎcのサブバンドは、Ｎの合計サブバンドの中のすべてのＬ番目のサブバンド、但しＬ＞１を含む、請求項１０の方法。
【請求項１２】
前記第１のグループのチャネル利得推定値を得ることは、
前記Ｎの入力サンプルのシーケンスに基づいてパイロットサブバンドのグループのために時間領域チャネル利得値を得ることと、
前記時間領域チャネル利得値をローテートし、前記第１のグループのサブバンドのためのローテートされたチャネル利得値の第１のシーケンスを得ることと、
前記ローテートされたチャネル利得値の第１のシーケンスに対して高速フーリエ変換を実行し、前記第１のグループのサブバンドのための前記第１のグループのチャネル利得推定値を得ることと、
を含む、請求項１０の方法。
【請求項１３】
前記Ｎの入力サンプルのシーケンスに対して部分フーリエ変換を実行し、第２のグループのＮcのサブバンドのための第２のグループのＮcの受信したシンボルを得ることと、
前記時間領域チャネル利得値をローテートし、前記第２のグループのサブバンドのためのローテートされたチャネル利得値の第２のシーケンスを得ることと、
前記ローテートしたチャネル利得値の第２のシーケンスに対して高速フーリエ変換を実行し、前記第２のグループのサブバンドのための第２のグループのチャネル利得推定値を得ることと、
前記第２のグループのチャネル利得推定値を用いて前記第２のグループの受信されたシンボルを処理し、前記第２のグループのサブバンドのための第２のグループのリカバーされたデータシンボルを得ることと、
をさらに備えた、請求項１２の方法。
【請求項１４】
前記第１のグループのリカバーされたデータシンボルは、前記第１のグループのチャネル利得推定値により前記第１のグループの受信されたシンボルを除算することにより得られる、請求項１０の方法。
【請求項１５】
前記通信システムは直交周波数分割多重アクセス（ＯＦＤＭＡ）システムである、請求項１０の方法。
【請求項１６】
直交周波数分割多重（ＯＦＤＭ）を利用する通信システムにおける装置において、
ＯＦＤＭシンボルのためのＮの入力サンプルのシーケンスに対して部分フーリエ変換を実行し、第１のグループのサブバンドのための第１のグループのＮcの受信されたシンボルを得るように機能的に作用するフーリエ変換ユニットであって、Ｎ＞Ｎc＞１であり、前記フーリエ変換ユニットはＮcポイントの高速フーリエ変換（ＦＦＴ）を利用し、前記第１のグループのＮcの受信されたシンボルを得るフーリエ変換ユニットと、
前記第１のグループのサブバンドのための第１のグループのチャネル利得推定値を得るように機能的に作用するチャネル推定器と、
前記第１のチャネル利得推定値を用いて前記第１のグループの受信されたシンボルを処理し、前記第１のグループのサブバンドのための第１のグループのリカバーされたデータシンボルを得るように機能的に作用するイコライザーと、
を備えた装置。
【請求項１７】
前記フーリエ変換ユニットは、前記Ｎの入力サンプルのシーケンスに対して第２の部分フーリエ変換を実行し、第２のグループのＮcのサブバンドのための第２のグループのＮcの受信されたシンボルを得、前記チャネル推定器は前記第２のグループのサブバンドのための第２のグループのチャネル利得推定値を得るように機能的に作用し、前記イコライザーは前記第２のグループのチャネル利得推定値を用いて前記第２のグループの受信されたシンボルを処理し、前記第２のグループのサブバンドのための第２のグループのリカバーされたデータを得るように機能的に作用する、請求項１６の装置。
【請求項１８】
直交周波数分割多重（ＯＦＤＭ）を利用した通信システムにおいて復調を実行するように動作可能な装置において、
ＯＦＤＭシンボルのためのＮの入力サンプルのシーケンスに対して部分フーリエ変換を実行し、第１のグループのＮcサブバンドのための第１のグループのＮcの受信されたシンボルを得る手段であって、Ｎ＞Ｎc＞１であり、前記部分フーリエ変換はＮcポイントの高速フーリエ変換（ＦＦＴ）を利用して前記第１のグループのＮcの受信されたシンボルを得る手段と、
前記第１のグループのサブバンドのための第１のグループのチャネル利得推定値を得る手段と、
前記第１のグループのチャネル利得推定値を用いて前記第１のグループの受信されたシンボルを処理し、前記第１のグループのサブバンドのための第１のグループのリカバーされたデータシンボルを得る手段と、
を備えた装置。
【手続補正２】
【補正対象書類名】明細書
【補正対象項目名】０１２９
【補正方法】変更
【補正の内容】
【０１２９】
開示された実施形態の上記記述は、当業者がこの発明を製作または使用可能にするために設けられる。これらの実施形態に対する種々の変更は、当業者には容易に明白であり、ここに定義される包括的原理は、この発明の精神または範囲を逸脱することなく他の実施形態に適用してもよい。従って、この発明は、ここに示された実施形態に限定されることを意図したものではなく、ここに開示される原理および新規な特徴に一致する最も広い範囲が許容されるべきである。
以下に他の実施形態を示す。
［請求項１］
Ｎの合計サブバンドの中でＮcのサブバンド（但し、Ｎ＞Ｎc>１）のためにフーリエ変換を実行する方法において、
Ｎの入力サンプルの第１のシーケンスをローテートし、Ｎのローテートされた入力サンプルの第２のシーケンスを得ることと、
前記Ｎのローテートされた入力サンプルの第２のシーケンスを累算し、Ｎcの時間領域値の第３のシーケンスを得ることであって、前記累算は、Ｌのローテートされた入力サンプルのＮｃのセットの各々に対して実行される（但しＮc・Ｌ＝Ｎである）ことと、
前記Ｎcの時間領域値の第３のシーケンスに対してＮcポイントの高速フーリエ変換（ＦＦＴ）を実行し、ＮcのサブバンドのためのＮcの周波数領域値を得ることとを備えた方法。
［請求項２］
前記Ｎの入力サンプルの各々は、前記入力サンプルを
【数１】
2010239639.tif 000083
で乗算することによりローテートされ、但し、ｎは、前記第１のシーケンス内の前記入力サンプルのためのインデックスであり、ｍは前記Ｎcのサブバンドを含むサブバンドグループのためのインデックスである、請求項１の方法。
［請求項３］
前記Ｎcセットの各々は、異なるローテートされた入力サンプルから始めて、前記第２のシーケンス内のすべてのＮ番目のローテートされた入力サンプルを含む、請求項１の方法。
［請求項４］
前記Ｎの入力サンプルは１つの直交周波数分割多重（ＯＦＤＭ）シンボルのためのものであり、前記Ｎcの周波数領域値は、前記ＮcのサブバンドのためのＮcの受信されたシンボルのためのものである、請求項１の方法。
［請求項５］
前記Ｎcのサブバンドは、Ｎの合計サブバンドの中ですべてのＬ番目のサブバンドを含む、請求項１の方法。
［請求項６］
Ｎの合計サブバンドの中でＮcのサブバンド（但しＮ＞Ｎc>１）のためのフーリエ変換を実行するように動作可能な装置において、
Ｎの入力サンプルの第１のシーケンスをローテートし、Ｎのローテートされた入力サンプルの第２のシーケンスを得るように機能的に作用するローテーターと、
Ｎのローテートされた入力サンプルの前記第２のシーケンスを累算し、Ｎcの時間領域値の第３のシーケンスを得るように機能的に作用するアキュムレーターであって、前記累算は、Ｌのローテートされた入力サンプルのＮcのセットの（但し、Ｎc・Ｌ=Ｎ）各々に対して実行されるアキュムレーターと、
前記Ｎcの時間領域値の第３のシーケンスに対してＮcポイントの高速フーリエ変換を実行し、前記ＮcのサブバンドのためのＮcの周波数領域値を得るように機能的に作用する高速フーリエ変換（ＦＦＴ）ユニットと、
を備えた装置。
［請求項７］
Ｎの合計サブバンドの中でＮcのサブバンド（但し、Ｎ＞Ｎc>１）に対してフーリエ変換を実行するように動作可能な装置において、
Ｎの入力サンプルの第１のシーケンスをローテートし、Ｎのローテートされた入力サンプルの第２のシーケンスを得る手段と、
前記Ｎのローテートされた入力サンプルの第２のシーケンスを累算し、Ｎc時間領域値の第３のシーケンスを得る手段であって、前記累算は、Ｌのローテートされた入力サンプルのＮcのセットの各々に対して実行され、Ｎc・Ｌ＝Ｎである、手段と、
前記Ｎc時間領域値の第３のシーケンスに対してＮcポイントの高速フーリエ変換（ＦＦＴ）を実行し、前記ＮcサブバンドのためのＮc周波数領域値を得る手段と、
を備えた装置。
［請求項８］
通信システムにおいてチャネル推定を実行するための方法において、
入力サンプルのシーケンスに対してフーリエ変換を実行し、第１のグループのサブバンドのための受信されたパイロットシンボルを得ることと、
前記受信されたパイロットシンボルに基づいて、前記第１のグループのサブバンドのための第１のグループのチャネル利得推定値を得ることと、
前記第１のグループのチャネル利得推定値に対して逆高速フーリエ変換（ＩＦＦＴ）を実行し、時間領域チャネル利得値を得ることと、
前記時間領域チャネル利得値のシーケンスをローテートし、第２のグループのサブバンドのための第１のシーケンスのローテートされたチャネル利得値を得ることと、
前記第１のシーケンスのローテートされたチャネル利得値に対して高速フーリエ変換（ＦＦＴ）を実行し、前記第２のグループのためのサブバンドのための第２のグループのチャネル利得推定値を得ることと、
を備えた方法。
［請求項９］
前記フーリエ変換を実行することは、
前記入力サンプルのシーケンスをローテートし、ローテートされた入力サンプルのシーケンスを得ることと、
Ｌ（但しＬ＞１）のローテートされた入力サンプルのセットにおいて、前記ローテートされた入力サンプルのシーケンスを累算し、時間領域入力値のシーケンスを得ることと、
前記時間領域入力値のシーケンスに対して高速フーリエ変換を実行し、前記受信されたパイロットシンボルを得ることと、
を含む、請求項８の方法。
［請求項１０］
前記時間領域チャネル利得値のシーケンスをディローテートし、ディローテートされた時間領域チャネル利得値のシーケンスを得ることをさらに備え、前記ディローテートされた時間領域チャネル利得値のシーケンスはローテートされて、前記第２のグループのサブバンドのための前記第１のシーケンスのローテートされたチャネル利得値を得る、請求項８の方法。
［請求項１１］
前記時間領域チャネル利得値のシーケンスをローテートして第３のグループのサブバンドのためのローテートされたチャネル利得値の第２のシーケンスを得ることと、
前記ローテートされたチャネル利得値の第２のシーケンスに対して高速フーリエ変換を実行し、前記第３のグループのサブバンドのための第３のグループのチャネル利得値を得ることと、
をさらに備えた、請求項８の方法。
［請求項１２］
前記チャネル利得推定値の第１のグループは、前記受信したパイロット信号の各々を前記受信したパイロットシンボルに対応する共役したパイロットシンボルと乗算することにより得られる、請求項８の方法。
［請求項１３］
通信システムにおいてチャネル推定を実行するように動作可能な装置において、
入力サンプルのシーケンスに対してフーリエ変換を実行し、第１のグループのサブバンドのための受信されたパイロットシンボルを得るように機能的に作用するフーリエ変換ユニットと、
前記受信されたパイロットシンボルに基づいて前記第１のグループのサブバンドのために第１のグループのチャネル利得推定値を得るように機能的に作用するパイロット復調器と、
前記第１のチャネル利得推定値に対して逆高速フーリエ変換を実行し、時間領域チャネル利得値のシーケンスを得るように機能的に作用する逆高速フーリエ変換（ＩＦＦＴ）ユニットと、
前記時間領域チャネル利得のシーケンスをローテートし、第２のグループのサブバンドのためのローテートされたチャネル利得値の第１のシーケンスを得るように機能的に作用する第１のローテーターと、
前記ローテートされたチャネル利得値の第１のシーケンスに対して高速フーリエ変換を実行し、前記第２のグループのサブバンドのための第２のグループのチャネル利得推定値を得るように機能的に作用する第１の高速フーリエ変換（ＦＦＴ）ユニットと、
を備えた装置。
［請求項１４］
前記フーリエ変換ユニットは、
前記入力サンプルのシーケンスをローテートし、ローテートされた入力サンプルのシーケンスを得るように機能的に作用する第２のローテーターと、
Ｌのローテートされた入力サンプルのセットにおいて、前記ローテートされた入力サンプルのシーケンスを累算し、時間領域入力値のシーケンスを得る、但しＬ＞１であるように機能的に作用するアキュムレーターと、
前記時間領域入力値のシーケンスに対して高速フーリエ変換を実行し前記受信されたパイロットシンボルを得るように機能的に作用する第２の高速フーリエ変換ユニットと、
を含む、請求項１３の装置。
［請求項１５］
前記時間領域チャネル利得値のシーケンスをローテートし、第３のグループのサブバンドのためのローテートされたチャネル利得値の第２のシーケンスを得るように機能的に作用する第２のローテーターと、
前記ローテートされたチャネル利得値の第２のシーケンスに対して高速フーリエ変換を実行し、前記第３のグループのサブバンドのための第３のグループのチャネル利得推定値を得るように機能的に作用する第２の高速フーリエ変換ユニットと、
をさらに備えた、請求項１３の装置。
［請求項１６］
通信システムにおいて、チャネル推定を実行するように動作可能な装置において、
入力サンプルのシーケンスに対してフーリエ変換を実行し、第１のグループのサブバンドのための受信されたパイロットシンボルを得る手段と、
前記受信されたパイロットシンボルに基づいて前記第１のグループのためのサブバンドのための第１のグループのチャネル利得推定値を得る手段と、
前記第１のグループのチャネル利得推定値に対して逆高速フーリエ変換（ＩＦＦＴ）を実行し、時間領域チャネル利得値のシーケンスを得る手段と、
前記時間領域チャネル利得値のシーケンスをローテートし、第２のグループのサブバンドのためのローテートされたチャネル利得値の第１のシーケンスを得る手段と、
前記ローテートされたチャネル利得値の第１のシーケンスに対して高速フーリエ変換（ＦＦＴ）を実行し、前記第２のグループのサブバンドのための第２のグループのチャネル利得推定値を得る手段と、
を備えた装置。
［請求項１７］
直交周波数分割多重（ＯＦＤＭ）を利用した通信システムにおいて復調を実行する方法において、
ＯＦＤＭシンボルのためのＮの入力サンプルのシーケンスに対して部分フーリエ変換を実行し、第１のグループのＮcサブバンド、但し、Ｎ＞Ｎc>1のための第１のグループのＮcの受信したシンボル得ることであって、前記部分フーリエ変換はＮcポイントの高速フーリエ変換（ＦＦＴ）を利用し前記第１のグループのＮcの受信されたシンボルを得ることと、
前記第１のグループのサブバンドのための第１のグループのチャネル利得推定値を得ることと、
前記第１のチャネル利得推定値を用いて前記第１のグループの受信したシンボルを処理し、前記第１のグループのサブバンドのための第１のグループのリカバーされたデータシンボルを得ることと、
を備えた方法。
［請求項１８］
前記通信システムは、Ｎの合計サブバンドを含み、前記第１グループ内の前記Ｎcのサブバンドは、Ｎの合計サブバンドの中のすべてのＬ番目のサブバンド、但しＬ＞１を含む、請求項１７の方法。
［請求項１９］
前記第１のグループのチャネル利得推定値を得ることは、
前記Ｎの入力サンプルのシーケンスに基づいてパイロットサブバンドのグループのために時間領域チャネル利得値を得ることと、
前記時間領域チャネル利得値をローテートし、前記第１のグループのサブバンドのためのローテートされたチャネル利得値の第１のシーケンスを得ることと、
前記ローテートされたチャネル利得値の第１のシーケンスに対して高速フーリエ変換を実行し、前記第１のグループのサブバンドのための前記第１のグループのチャネル利得推定値を得ることと、
を含む、請求項１７の方法。
［請求項２０］
前記Ｎの入力サンプルのシーケンスに対して部分フーリエ変換を実行し、第２のグループのＮcのサブバンドのための第２のグループのＮcの受信したシンボルを得ることと、
前記時間領域チャネル利得値をローテートし、前記第２のグループのサブバンドのためのローテートされたチャネル利得値の第２のシーケンスを得ることと、
前記ローテートしたチャネル利得値の第２のシーケンスに対して高速フーリエ変換を実行し、前記第２のグループのサブバンドのための第２のグループのチャネル利得推定値を得ることと、
前記第２のグループのチャネル利得推定値を用いて前記第２のグループの受信されたシンボルを処理し、前記第２のグループのサブバンドのための第２のグループのリカバーされたデータシンボルを得ることと、
をさらに備えた、請求項１９の方法。
［請求項２１］
前記第１のグループのリカバーされたデータシンボルは、前記第１のグループのチャネル利得推定値により前記第１のグループの受信されたシンボルを除算することにより得られる、請求項１７の方法。
［請求項２２］
前記通信システムは直交周波数分割多重アクセス（ＯＦＤＭＡ）システムである、請求項１７の方法。
［請求項２３］
直交周波数分割多重（ＯＦＤＭ）を利用する通信システムにおける装置において、
ＯＦＤＭシンボルのためのＮの入力サンプルのシーケンスに対して部分フーリエ変換を実行し、第１のグループのサブバンドのための第１のグループのＮcの受信されたシンボルを得るように機能的に作用するフーリエ変換ユニットであって、Ｎ＞Ｎc＞１であり、前記フーリエ変換ユニットはＮcポイントの高速フーリエ変換（ＦＦＴ）を利用し、前記第１のグループのＮcの受信されたシンボルを得るフーリエ変換ユニットと、
前記第１のグループのサブバンドのための第１のグループのチャネル利得推定値を得るように機能的に作用するチャネル推定器と、
前記第１のチャネル利得推定値を用いて前記第１のグループの受信されたシンボルを処理し、前記第１のグループのサブバンドのための第１のグループのリカバーされたデータシンボルを得るように機能的に作用するイコライザーと、
を備えた装置。
［請求項２４］
前記フーリエ変換ユニットは、前記Ｎの入力サンプルのシーケンスに対して第２の部分フーリエ変換を実行し、第２のグループのＮcのサブバンドのための第２のグループのＮcの受信されたシンボルを得、前記チャネル推定器は前記第２のグループのサブバンドのための第２のグループのチャネル利得推定値を得るように機能的に作用し、前記イコライザーは前記第２のグループのチャネル利得推定値を用いて前記第２のグループの受信されたシンボルを処理し、前記第２のグループのサブバンドのための第２のグループのリカバーされたデータを得るように機能的に作用する、請求項２３の装置。
［請求項２５］
直交周波数分割多重（ＯＦＤＭ）を利用した通信システムにおいて復調を実行するように動作可能な装置において、
ＯＦＤＭシンボルのためのＮの入力サンプルのシーケンスに対して部分フーリエ変換を実行し、第１のグループのＮcサブバンドのための第１のグループのＮcの受信されたシンボルを得る手段であって、Ｎ＞Ｎc＞１であり、前記部分フーリエ変換はＮcポイントの高速フーリエ変換（ＦＦＴ）を利用して前記第１のグループのＮcの受信されたシンボルを得る手段と、
前記第１のグループのサブバンドのための第１のグループのチャネル利得推定値を得る手段と、
前記第１のグループのチャネル利得推定値を用いて前記第１のグループの受信されたシンボルを処理し、前記第１のグループのサブバンドのための第１のグループのリカバーされたデータシンボルを得る手段と、
を備えた装置。
【外国語明細書】
2010239639000001.pdf